(57)【要約】      （修正有）【課題】  大型のスクリーン乾版でも容易に移動させて多面焼付けを行なうことができかつ小さなスペースで作業を行なうことができるスクリーンプリンターを得る。【解決手段】  フレームに垂直あるいは所定の傾斜状態で固定された原版やスクリーンマスクが配置されるガラステーブルと、このガラステーブルに配置された原版にスクリーン乾版のスクリーンが密着できるように支持するスクリーン乾版支持台と、乾版支持台に支持されたスクリーン乾版をガラステーブルに配置された原版に密着するように回動移動あるいは前後方向へ移動できる密着移動装置と、スクリーン乾版支持台を多面焼付できるように左右方向にスライド移動できるスライド移動装置と、ガラステーブルに配置された原版にスクリーン乾版のスクリーンが密着するように圧着させる圧着装置と、ガラステーブルに配置された原版にスクリーン乾版のスクリーンが密着させたところで露光することができる露光装置とで構成する。【選択図】  図３
2005321506.tif 000002
【特許請求の範囲】
【請求項１】
フレームと、このフレームに垂直あるいは所定の傾斜状態で固定された原版やスクリーンマスクが配置されるガラステーブルと、このガラステーブルに配置された原版にスクリーン乾版のスクリーンが密着できるように支持する前記フレームに取付けられたスクリーン乾版支持台と、このスクリーン乾版支持台に支持されたスクリーン乾版を前記ガラステーブルに配置された原版に密着するように回動移動あるいは前後方向へ移動できるように前記フレームに取付けられた密着移動装置と、前記スクリーン乾版支持台を多面焼付できるように左右方向にスライド移動できるように前記フレームに取付けられたスライド移動装置と、前記ガラステーブルに配置された原版にスクリーン乾版のスクリーンが密着するように圧着させる圧着装置と、前記ガラステーブルに配置された原版にスクリーン乾版のスクリーンが密着させたところで露光することができるように、前記フレームに取付けられた露光装置とを備えることを特徴とするスクリーンプリンター。
【請求項２】
固定フレームと、この固定フレームに左右方向にスライド移動可能に取付けられた可動フレームと、この可動フレームに垂直あるいは所定の傾斜状態で固定された原版やスクリーンマスクが設置されるガラステーブルと、このガラステーブルに配置された原版にスクリーン乾版のスクリーンが密着できるように支持する、前記固定フレームに取付けられたスクリーン乾版支持台と、このスクリーン乾版支持台を前記ガラステーブルに配置された原版にスクリーン乾版のスクリーンが密着するように回動あるいは前後方向へ移動できるように前記固定フレームに取付けられた密着移動装置と、前記ガラステーブルに配置された原版にスクリーン乾版のスクリーンが密着するように圧着させる圧着装置と、前記ガラステーブルに配置された原版にスクリーン乾版のスクリーンが密着させたところで露光することができるように、前記可動フレームに取付けられた露光装置とを備えることを特徴とするスクリーンプリンター。
【請求項３】
フレームと、このフレームに垂直あるいは所定の傾斜状態で固定された原版やスクリーンマスクが配置されるガラステーブルと、このガラステーブルに配置された原版にスクリーン乾版のスクリーンが密着できるように支持する前記フレームに取付けられたスクリーン乾版支持台と、このスクリーン乾版支持台に支持されたスクリーン乾版を前記ガラステーブルに配置された原版に密着するように回動移動あるいは前後方向へ移動できるように前記フレームに取付けられた密着移動装置と、前記ガラステーブルに配置された原版にスクリーン乾版のスクリーンが密着するように圧着させる圧着装置と、前記ガラステーブルに配置された原版にスクリーン乾版のスクリーンが密着させたところで露光することができるように、前記フレームに取付けられた露光装置とを備えるスクリーンプリンターにおいて、前記スクリーン乾版支持台に支持されたスクリーン乾版を多面焼付できるように該スクリーン乾版支持台あるいは前記ガラステーブルおよび露光装置の少なくとも一方を上下移動装置により上下移動できるようにしたことを特徴とするスクリーンプリンター。
【請求項４】
フレームと、このフレームに垂直あるいは所定の傾斜状態で固定された原版やスクリーンマスクが配置されるガラステーブルと、このガラステーブルに配置された原版にスクリーン乾版のスクリーンが密着できるように支持する前記フレームに取付けられたスクリーン乾版支持台と、このスクリーン乾版支持台に支持されたスクリーン乾版を前記ガラステーブルに配置された原版に密着するように回動移動あるいは前後方向へ移動できるように前記フレームに取付けられた密着移動装置と、前記ガラステーブルに配置された原版にスクリーン乾版のスクリーンが密着するように圧着させる圧着装置と、前記ガラステーブルに配置された原版にスクリーン乾版のスクリーンが密着させたところで露光することができるように、前記フレームに取付けられた露光装置とを備えるスクリーンプリンターにおいて、前記スクリーン乾版支持台に支持されたスクリーン乾版を多面焼付できるように該スクリーン乾版支持台あるいは前記ガラステーブルおよび露光装置の少なくとも一方を上下方向移動装置により上下方向に移動できるようにするとともに、左右方向移動装置により左右方向に移動できるようにしたことを特徴とするスクリーンプリンター。
【発明の詳細な説明】
【技術分野】
【０００１】
本発明はスクリーン乾版に画像を焼付ける場合に使用されるスクリーンプリンターに関する。
【背景技術】
【０００２】
従来のスクリーンプリンターはオリジナルフィルムと、フレームの一側面に感剤を塗布したスクリーンを設けたスクリーン乾版とを、前記オリジナルフィルムと前記スクリーンとが接した状態で、かつ前記オリジナルフィルムを当接させてセットするプリンターガラスと、前記スクリーン乾版のフレームの他側面を気密に覆う密閉板と、前記密閉板に取付けられ、前記スクリーン乾版のフレームによって囲まれた空所内のエアーを排出するバキュ−ム装置に接続された少なくとも１個の排出ノズルとで構成されている。
【０００３】
このため、小さなスクリーン乾版への焼付けは容易にできるが、例えば３ｍ×３．３ｍという大きなスクリーン乾版には、大型化してもスクリーン乾版のセットや移動のため装置が複雑で、大型化するという欠点があるとともに、大きなスペースがないと使用できないという欠点があった。
【特許文献１】実公平４−３２６７６
【発明の開示】
【発明が解決しようとする課題】
【０００４】
本発明は以上のような従来の欠点に鑑み、大型のスクリーン乾版でも容易に移動させて、多面焼付けを行なうことができるとともに、小さなスペースで作業を行なうことができるスクリーンプリンターを提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はフレームと、このフレームに垂直あるいは所定の傾斜状態で固定された原版やスクリーンマスクが配置されるガラステーブルと、このガラステーブルに配置された原版にスクリーン乾版のスクリーンが密着できるように支持する前記フレームに取付けられたスクリーン乾版支持台と、このスクリーン乾版支持台に支持されたスクリーン乾版を前記ガラステーブルに配置された原版に密着するように回動移動あるいは前後方向へ移動できるように前記フレームに取付けられた密着移動装置と、前記スクリーン乾版支持台を多面焼付できるように左右方向にスライド移動できるように前記フレームに取付けられたスライド移動装置と、前記ガラステーブルに配置された原版にスクリーン乾版のスクリーンが密着するように圧着させる圧着装置と、前記ガラステーブルに配置された原版にスクリーン乾版のスクリーンが密着させたところで露光することができるように、前記フレームに取付けられた露光装置とでスクリーンプリンターを構成している。
【発明の効果】
【０００７】
以上の説明から明らかなように、本発明にあっては次に列挙する効果が得られる。
【０００８】
（１）フレームに垂直あるいは所定の傾斜状態で固定された原版やスクリーンマスクが配置されるガラステーブルと、このガラステーブルに配置された原版にスクリーン乾版のスクリーンが密着できるように支持する前記フレームに取付けられたスクリーン乾版支持台と、このスクリーン乾版支持台に支持されたスクリーン乾版を前記ガラステーブルに配置された原版に密着するように回動移動あるいは前後方向へ移動できるように前記フレームに取付けられた密着移動装置と、前記スクリーン乾版支持台を多面焼付できるように左右方向にスライド移動できるように前記フレームに取付けられたスライド移動装置と、前記ガラステーブルに配置された原版にスクリーン乾版のスクリーンが密着するように圧着させる圧着装置と、前記ガラステーブルに配置された原版にスクリーン乾版のスクリーンが密着させたところで露光することができるように、前記フレームに取付けられた露光装置とで構成されているので、スクリーン乾版を垂直あるいは所定の傾斜状態で焼付けでき、スクリーン乾版の移動を立てた状態で行なうことができる。
したがって、大きなスペースが不要で、楽に移動させることができる。
【０００９】
（２）前記（１）によって、スクリーン乾版を左右方向に移動させることができるので、多面焼付けを容易に行なうことができる。
したがって、大きな原版を用いなくてもよく、高精度のガラス等の原版を用いての焼付けができる。
【００１０】
（３）前記（１）によって、多面焼付けをスクリーン乾版の左右方向の移動で、ガラステーブルや露光装置を移動させないでできる。
したがって、容易に行なうことができる。
【００１１】
（４）請求項２も前記（１）と同様な効果が得られるとともに、ガラステーブルおよび露光装置を左右方向にスライド移動させることにより、多面焼付けを行なうことができ、かつガラステーブルと露光装置の位置調整が不要で、楽に行なうことができる。
【００１２】
（５）請求項３、４も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図１３に示す本発明を実施するための最良の第１の形態において、１は大型のスクリーン乾版２を立てた状態で焼付けを行なう本発明のスクリーンプリンターで、このスクリーンプリンター１は床面に設置することができる固定フレーム３と、この固定フレーム３に所定の傾斜状態で固定されたガラスやフィルム等の原版４やスクリーンマスク５が配置されるガラステーブル６と、このガラステーブル６に配置された原版４にスクリーン乾版２の感光乳剤が塗布されているスクリーン２ａが密着できるように支持する、前記固定フレーム３に取付けられたスクリーン乾版支持台７と、このスクリーン乾版支持台７に支持されたスクリーン乾版２を前記ガラステーブル６に配置された原版４に密着するように回動移動させる、前記固定フレーム３に取付けられた密着移動装置８と、前記スクリーン乾版支持台７を多面焼付けできるように左右方向にスライド移動できるように、前記固定フレーム３に取付けられたスライド移動装置９と、前記ガラステーブル６に配置された原版４にスクリーン乾版２のスクリーン２ａが密着するように圧着させる圧着装置１０と、前記ガラステーブル６に配置された原版４にスクリーン乾版２のスクリーン２ａが密着させたところで露光することができるように前記固定フレーム３に取付けられた露光装置１１とで構成されている。
【００１５】
前記固定フレーム３は床面１２に設置されるベースフレーム１３と、このベースフレーム１３に下端部が固定された、前記ガラステーブル６を固定するガラステーブル支持フレーム１４と、前記ベースフレーム１３に下端部が固定されたスクリーン乾版支持フレーム１５とで構成されている。
【００１６】
前記スライド移動装置９は前記ガラステーブル６に沿うように前記固定フレーム３のベースフレーム１３に固定されたガイドレール１６と、このガイドレール１６と平行に前記ベースフレーム１３に取付けられた前記スクリーン乾版支持台７が螺合するボールネジ１７ａと、このボールネジ１７ａを正逆回転して前記スクリーン乾版支持台７を左右方向にスライド移動させるサーボモータ１７ｂとで構成されている。
【００１７】
前記スクリーン乾版支持台７は前記ガイドレール１６に沿ってスライド移動可能で、かつ該スライド移動方向に対して直角方向に回動可能なスライド支持台１８と、このスライド支持台１８に下端部が固定されたスクリーン乾版支持体１９と、このスクリーン乾版支持体１９に取付けられたスクリーン乾版２の四角部を保持する保持部材２０、２０、２０、２０とで構成されている。
【００１８】
前記密着移動装置８は一端部の作動杆２１、２１の先端部が前記スクリーン乾版支持体１９の上部に枢支ピン２２、２２で枢支され、他端部を前記スクリーン乾版支持フレーム１５の上部に枢支ピン２３、２３で枢支され、油圧シリンダー等のシリンダー装置２４、２４で構成されている。
【００１９】
前記圧着装置１０は前記スクリーン乾版支持フレーム１５に取付けられた油圧シリンダー等のシリンダー装置２５と、このシリンダー装置２５の作動杆２６に先端部に固定された押し圧板２７と、この押し圧板２７の前方を覆うように取付けられた中央部が前方へ突出する円錐台形状のエアーバック２８とで構成されている。
なお、エアーバックに代え、スポンジ等を用いてもよい。
【００２０】
前記露光装置１１は前記ベースフレーム１３に固定されたライト２９と、このライト２９からの光を前記ガラステーブル６に直進光で照射するフィルタ３０とで構成されている。
【００２１】
上記構成のスクリーンプリンター１はガラステーブル６に多面焼付けできるように原版４をテープ等で固定するとともに、この固定した原版４以外の部位をスクリーンマスク５で覆う。
しかる後、スクリーン乾版２を立てた状態で移動させてきて、スクリーン乾版支持台７のスクリーン乾版支持体１９に位置させ、保持部材２０、２０、２０、２０で保持させる。
次に、密着移動装置８のシリンダー装置２４、２４を作動させて、スクリーン乾版支持台７およびスクリーン乾版２を回動移動させ、スクリーン乾版２のスクリーン２ａを原版４が取付けられたガラステーブル６へ密着させる。
この状態で圧着装置１０のエアーバック２８をふくらませた状態でシリンダー装置２５を作動させて、押し圧板２７を押し圧方向に移動させてエアーバック２８をスクリーン乾版２のスクリーン２ａを原版４およびガラステーブル６へ押し圧する。
この時、エアーバック２８の前方は円錐台形状であるため、中央部を押し圧した後、順次外周部方向を押し圧して、押し圧部に気泡が残るのを防止できる。
この状態で露光装置１１を作動させて、スクリーン乾版２のスクリーン２ａを焼き付ける。
【００２２】
焼付けが完了すると、圧着装置１０のシリンダー装置２５を作動させて押し圧板２７を後退させた後、密着移動装置８のシリンダー装置２４、２４を作動させてスクリーン乾版２のスクリーン２ａを原版４およびガラステーブル６より離す。
しかる後、スライド移動装置９のシリンダー装置１７を作動させて、スクリーン乾版２のスクリーン２ａの焼付けされていない部位が原版４の位置になるように移動させる。
しかる後、前述と同様に密着移動装置８、圧着装置１０、露光装置１１を作動させて、焼付けを行なう。
このような作業をスクリーン乾版２のスクリーン２ａの焼付けされていない部位に順次行なって、必要な焼付け作業を行なう。
[発明を実施するための異なる形態]
【００２３】
次に、図１４ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図１４ないし図１７に示す本発明を実施するための第２の形態において、前記本発明を実施するための最良の第１の形態と主に異なる点は、ほぼ垂直にガラステーブル６をガラステーブル支持フレーム１４に固定するとともに、垂直に位置するようにスクリーン乾版支持フレーム１５に前後方向にスライド移動可能にスクリーン乾版支持体１９を取付け、該スクリーン乾版支持体１９を上下各２本の油圧シリンダー等のシリンダー装置３１、３１、３１、３１で前後方向に移動させる密着移動装置８Ａを用いた点で、このように構成したスクリーンプリンター１Ａにしても、前記本発明を実施するための最良の第１の形態と同様な作用効果が得られる。
【００２５】
図１８ないし図２１に示す本発明を実施するための第３の形態において、前記本発明を実施するための最良の第１の形態と主に異なる点は、ベースフレーム１３に左右方向にスライド移動可能に露光装置１１も取付けられるガラステーブル支持フレーム１４Ａを取付けるとともに、該ガラステーブル支持フレーム１４Ａを油圧シリンダー等のシリンダー装置３２、３２を用いたスライド移動装置９Ａで左右方向にスライド移動させ、ベースフレーム１３にスクリーン乾版支持台７を取付けた点で、このように構成されたスクリーンプリンター１Ｂにしても、前記本発明を実施するための最良の第１の形態と同様な作用効果が得られる。
【００２６】
図２２ないし図２４に示す本発明を実施するための第４の形態において、前記本発明を実施するための最良の第１の形態と主に異なる点は左右方向にスライド移動できるスクリーン乾版支持台７に支持されたスクリーン乾版２をさらに多面焼付できるように該スクリーン乾版支持台７を油圧シリンダー等のシリンダー装置３３、３３を用いた上下移動装置３４により上下移動できるように構成した点で、このように構成されたスクリーンプリンター１Cにしても、前記本発明を実施するための最良の第１の形態と同様な作用効果が得られる。
なお、本発明の実施の形態ではスクリーン乾版支持台７を上下移動装置３４により上下移動できるようにしたが、本発明はこれに限らず、ガラステーブルおよび露光装置を上下移動装置３４により上下移動できるようにしても良く、あるいはスクリーン乾版支持台７とガラステーブルおよび露光装置とをそれぞれ上下移動装置３４、３４により上下移動できるようにしても良い。
【００２７】
図２５ないし図２７に示す本発明を実施するための第５の形態において、前記本発明を実施するための第４の形態と主に異なる点は左右方向にスライド移動できないスクリーン乾版支持台７に支持されたスクリーン乾版２を多面焼付できるように該スクリーン乾版支持台７を油圧シリンダー等のシリンダー装置３３、３３を用いた上下移動装置３４により上下移動できるように構成した点で、このように構成されたスクリーンプリンター１Ｄにしても、前記本発明を実施するための第４の形態と同様な作用効果が得られる。
なお、本発明の実施の形態ではスクリーン乾版支持台７を上下移動装置３４により上下移動できるようにしたが、本発明はこれに限らず、ガラステーブルおよび露光装置を上下移動装置３４により上下移動できるようにしても良く、あるいはスクリーン乾版支持台７とガラステーブルおよび露光装置とをそれぞれ上下移動装置３４、３４により上下移動できるようにしても良い。
【００２８】
なお、前記本発明を実施するための各形態では、圧着装置１０の押し圧板２７は原版４部位を押し圧することができる大きさのものを用いてもよい。
また、左右方向にスライド移動するガラステーブル６はスクリーン乾版２の幅寸法よりも小さな幅寸法のものを用いてもよい。
さらに、前記本発明を実施するための各形態では移動装置や圧着装置で油圧シリンダー等のシリンダー装置を用いるものについて説明したが、本発明はこれに限らず、ねじ棒を正・逆回転モーターで回転させる移動装置や、チェーンやタイミングベルト等のベルト等を用いた移動装置を用いてもよい。
【産業上の利用可能性】
【００２９】
本発明はスクリーンプリンターを製造する産業およびこれを使用する産業で利用される。
【図面の簡単な説明】
【００３０】
【図１】本発明を実施するための最良の第１の形態の正面図。
【図２】本発明を実施するための最良の第１の形態の背面図。
【図３】本発明を実施するための最良の第１の形態の側面図。
【図４】本発明を実施するための最良の第１の形態の平面図。
【図５】図１の５―５線に沿う断面図。
【図６】本発明を実施するための最良の第１の形態のスライド移動装置の説明図。
【図７】本発明を実施するための最良の第１の形態のスクリーン乾版支持台の説明図。
【図８】本発明を実施するための最良の第１の形態の密着装置の説明図。
【図９】本発明を実施するための最良の第１の形態の圧着装置の説明図。
【図１０】本発明を実施するための最良の第１の形態の原版を取付けた状態の説明図。
【図１１】本発明を実施するための最良の第１の形態の最初の焼付け状態の説明図。
【図１２】スクリーン乾版に最初に焼付けられた状態の説明図。
【図１３】スクリーン乾版に２回の焼付けをした状態の説明図。
【図１４】本発明を実施するための第２の形態の正面図。
【図１５】本発明を実施するための第２の形態の側面図。
【図１６】本発明を実施するための第２の形態の平面図。
【図１７】図１５の１７―１７線に沿う断面図。
【図１８】本発明を実施するための第３の形態の正面図。
【図１９】本発明を実施するための第３の形態の背面図。
【図２０】本発明を実施するための第３の形態の平面図。
【図２１】本発明を実施するための第３の形態の側面図。
【図２２】本発明を実施するための第４の形態の正面図。
【図２３】本発明を実施するための第４の形態の側面図。
【図２４】本発明を実施するための第４の形態の平面図。
【図２５】本発明を実施するための第５の形態の正面図。
【図２６】本発明を実施するための第５の形態の側面図。
【図２７】本発明を実施するための第５の形態の平面図。
【符号の説明】
【００３１】
・  １Ａ、１Ｂ、１Ｃ、１Ｄ：スクリーンプリンター、
２：スクリーン乾版、          ３：固定フレーム、
４：原版、                    ５：スクリーンマスク、
６：ガラステーブル、          ７：スクリーン乾版支持台、
８、８Ａ：密着移動装置、      ９、９Ａ：スライド移動装置、
１０：圧着装置、              １１：露光装置、
１２：床面、                  １３：ベースフレーム、
１４、１４Ａ：ガラステーブル支持フレーム、
１５：スクリーン乾版支持フレーム、
１６：ガイドレール、          １７：シリンダー装置、
１８：スライド支持台、        １９：スクリーン乾版支持体、
２０：保持部材、              ２１：作動杆、
２２：枢支ピン、              ２３：枢支ピン、
２４：シリンダー装置、        ２５：シリンダー装置、
２６：作動杆、                ２７：押し圧板、
２８：エアーバック、          ２９：ライト、
３０：フィルタ、              ３１：シリンダー装置、
３２：シリンダー装置、        ３３：シリンダー装置、
３４：上下移動装置。
【図１】
2005321506.tif 000003
【図２】
2005321506.tif 000004
【図３】
2005321506.tif 000005
【図４】
2005321506.tif 000006
【図５】
2005321506.tif 000007
【図６】
2005321506.tif 000008
【図７】
2005321506.tif 000009
【図８】
2005321506.tif 000010
【図９】
2005321506.tif 000011
【図１０】
2005321506.tif 000012
【図１１】
2005321506.tif 000013
【図１２】
2005321506.tif 000014
【図１３】
2005321506.tif 000015
【図１４】
2005321506.tif 000016
【図１５】
2005321506.tif 000017
【図１６】
2005321506.tif 000018
【図１７】
2005321506.tif 000019
【図１８】
2005321506.tif 000020
【図１９】
2005321506.tif 000021
【図２０】
2005321506.tif 000022
【図２１】
2005321506.tif 000023
【図２２】
2005321506.tif 000024
【図２３】
2005321506.tif 000025
【図２４】
2005321506.tif 000026
【図２５】
2005321506.tif 000027
【図２６】
2005321506.tif 000028
【図２７】
2005321506.tif 000029